(57)【特許請求の範囲】
【請求項１】
ブッシングの絶縁油中の成分の種類及び当該成分の種類毎の量並びにアセチレンの量に関する事例データが用いられて、以下の数式１
［数１］  Σi[ａi×log10(Ｘi)]＋Ｃ
ここに、  ａi：係数，
Ｘi：濃度〔ppm〕，
添字ｉ：絶縁油中の成分の種類を表す識別子，
Ｃ：定数項
を基本式として、絶縁油におけるアセチレンの発生全般若しくは微小発生の有無を判定する第一の評価式についての成分の種類ｉ及び当該成分の種類ｉ毎の係数ａi並びに定数項Ｃが決定されると共に絶縁油におけるアセチレンの本格発生の有無を判定する第二の評価式についての成分の種類ｉ及び当該成分の種類ｉ毎の係数ａi並びに定数項Ｃが決定され、評価対象のブッシングの絶縁油中の成分の種類ｉ毎の濃度Ｘiの値が前記第一の評価式に代入されてアセチレンの発生全般若しくは微小発生の可能性指標値が算定されると共に前記評価対象のブッシングの絶縁油中の成分の種類ｉ毎の濃度Ｘiの値が前記第二の評価式に代入されてアセチレンの本格発生の可能性指標値が算定され、前記アセチレンの発生全般若しくは微小発生の可能性指標値と前記アセチレンの本格発生の可能性指標値との組み合わせに基づいて前記評価対象のブッシングの絶縁油における発生態様別のアセチレンの発生可能性の判定が行われることを特徴とするアセチレン発生可能性の評価方法。
【請求項２】
前記ブッシングの絶縁油中の成分の種類に水が含められることを特徴とする請求項１記載のアセチレン発生可能性の評価方法。
【請求項３】
ブッシングの絶縁油中の成分の種類及び当該成分の種類毎の量並びにアセチレンの量に関する事例データを用いて、以下の数式２
［数２］  Σi[ａi×log10(Ｘi)]＋Ｃ
ここに、  ａi：係数，
Ｘi：濃度〔ppm〕，
添字ｉ：絶縁油中の成分の種類を表す識別子，
Ｃ：定数項
を基本式として、絶縁油におけるアセチレンの発生全般若しくは微小発生の有無を判定する第一の評価式についての成分の種類ｉ及び当該成分の種類ｉ毎の係数ａi並びに定数項Ｃを決定すると共に絶縁油におけるアセチレンの本格発生の有無を判定する第二の評価式についての成分の種類ｉ及び当該成分の種類ｉ毎の係数ａi並びに定数項Ｃを決定する手段と、評価対象のブッシングの絶縁油中の成分の種類ｉ毎の濃度Ｘiの値を前記第一の評価式に代入してアセチレンの発生全般若しくは微小発生の可能性指標値を算定する手段と、前記評価対象のブッシングの絶縁油中の成分の種類ｉ毎の濃度Ｘiの値を前記第二の評価式に代入してアセチレンの本格発生の可能性指標値を算定する手段と、さらに、前記アセチレンの発生全般若しくは微小発生の可能性指標値と前記アセチレンの本格発生の可能性指標値との組み合わせに基づいて前記評価対象のブッシングの絶縁油における発生態様別のアセチレンの発生可能性を判定する手段とを有することを特徴とするアセチレン発生可能性の評価装置。
【請求項４】
前記ブッシングの絶縁油中の成分の種類に水が含められることを特徴とする請求項３記載のアセチレン発生可能性の評価装置。
【請求項５】
ブッシングの絶縁油中の成分の種類及び当該成分の種類毎の量並びにアセチレンの量に関する事例データを用いて、以下の数式３
［数３］  Σi[ａi×log10(Ｘi)]＋Ｃ
ここに、  ａi：係数，
Ｘi：濃度〔ppm〕，
添字ｉ：絶縁油中の成分の種類を表す識別子，
Ｃ：定数項
を基本式として、絶縁油におけるアセチレンの発生全般若しくは微小発生の有無を判定する第一の評価式についての成分の種類ｉ及び当該成分の種類ｉ毎の係数ａi並びに定数項Ｃを決定すると共に絶縁油におけるアセチレンの本格発生の有無を判定する第二の評価式についての成分の種類ｉ及び当該成分の種類ｉ毎の係数ａi並びに定数項Ｃを決定する処理と、評価対象のブッシングの絶縁油中の成分の種類ｉ毎の濃度Ｘiの値を前記第一の評価式に代入してアセチレンの発生全般若しくは微小発生の可能性指標値を算定する処理と、前記評価対象のブッシングの絶縁油中の成分の種類ｉ毎の濃度Ｘiの値を前記第二の評価式に代入してアセチレンの本格発生の可能性指標値を算定する処理と、さらに、前記アセチレンの発生全般若しくは微小発生の可能性指標値と前記アセチレンの本格発生の可能性指標値との組み合わせに基づいて前記評価対象のブッシングの絶縁油における発生態様別のアセチレンの発生可能性を判定する処理とをコンピュータに行わせることを特徴とするアセチレン発生可能性の評価プログラム。
【請求項６】
前記ブッシングの絶縁油中の成分の種類に水が含められることを特徴とする請求項５記載のアセチレン発生可能性の評価プログラム。
【発明の詳細な説明】
【技術分野】
【０００１】
本発明は、アセチレン発生可能性の評価方法、評価装置、及び評価プログラムに関する。さらに詳述すると、本発明は、例えば変圧器に備えられる油入ブッシングや油浸紙コンデンサブッシングなどの劣化状態の把握に用いて好適な技術に関する。
【背景技術】
【０００２】
変圧器に備えられるブッシングは、導体と隔壁との絶縁，シール，及び支持固定を行う変圧器付属品であり、絶縁劣化によって部分放電さらには地絡・短絡等を引起すため、その劣化状態の把握は重要である。
【０００３】
ここで、油入変圧器の保守管理技術の一つとして、油中ガス分析を行うことによる診断手法がある。
【０００４】
油中ガス分析を行うことによる油入変圧器の診断手法は、変圧器の内部に異常があって放電や絶縁油の過熱が発生している場合には絶縁油の分解に伴う分解ガスが発生しているので、診断対象設備の絶縁油を採油して当該絶縁油に含まれている溶解ガスの成分を分析することによって劣化の進行を把握して状態を診断するものである（非特許文献１）。
【先行技術文献】
【非特許文献】
【０００５】
【非特許文献１】一般社団法人電気協同研究会「第５４巻第５号（その１）  油入変圧器の保守管理」，平成１０年
【発明の概要】
【発明が解決しようとする課題】
【０００６】
しかしながら、非特許文献１の油入変圧器の診断手法では、変圧器本体の解体調査の結果に基づく異常ランクや不具合様相と油中ガス分析の結果とが関連づけられた診断基準が作成された上で判定が行われるため、診断基準の作成に変圧器本体の解体調査の結果に基づく異常ランクや不具合様相に関する状態データが不可欠である。このため、非特許文献１の油入変圧器の診断手法は、変圧器本体を解体する多大な手間と費用とが必要とされ、適用が簡便な手法であるとは言い難い。
【０００７】
そこで、本発明は、変圧器を解体することなくブッシングの状態を診断する指標を算定することができるアセチレン発生可能性の評価方法、評価装置、及び評価プログラムを提供することを目的とする。
【課題を解決するための手段】
【０００８】
油中ガス分析を行うことによる油入変圧器の診断手法では、従来、放電に伴って生じるアセチレン（Ｃ2Ｈ2）の実際の発生の程度によって即時補修／計画補修／追跡管理などを行うこととしている（前掲の非特許文献１など）。
【０００９】
これに対して本発明者らは、油中ガス分析の結果の成分データを用いてアセチレン（Ｃ2Ｈ2）の発生のし易さを指標化することによってアセチレン（Ｃ2Ｈ2）発生の予兆（言い換えると、可能性）を評価することが有用であると考えた。
【００１０】
また、本発明者らは、油入ブッシングから採油された絶縁油と油浸紙コンデンサブッシングから採油された絶縁油とのそれぞれについての油中ガス分析の結果に関してアセチレン発生事例の発生濃度別頻度を分析した。なお、絶縁油を採油する場合には、ブッシングを解体する必要は無い。
【００１１】
その結果、油入ブッシングでは、２０ vol. ppm 付近に発生の谷があり、アセチレンの発生態様に関し、アセチレンの発生の初期段階の現象であると考えられる２０ vol. ppm 未満の微小発生とそれに続く現象であると考えられる２０ vol. ppm 以上の本格発生とに分類し得ることを知見した。また、油浸紙コンデンサブッシングでは、２ vol. ppm 以下の微小発生と１７０ vol. ppm 以上の本格発生とに分類し得ることを知見した。
【００１２】
ただし、上記における油入ブッシングの場合の ２０ vol. ppm や油浸紙コンデンサブッシングの場合の２ vol. ppm 及び１７０ vol. ppm は微小発生や本格発生という発生態様を区分するための体積濃度値のあくまでも一例であり、ブッシングの態様や型式などによっては変化し得るものであるとも考えられる。
【００１３】
なお、本発明の説明では、vol. ppm は、例えば油中ガス分析を行うことによって得られるガス成分毎の体積濃度を表す単位として用いられる。また、以下では、vol. ppm は単に ppm と表記する。
【００１４】
以上の分析結果も踏まえ、本発明者らは、アセチレンの発生全般（即ち、微小発生や本格発生という発生態様を問わない）若しくは微小発生の可能性を判定する第一の評価式とアセチレンの本格発生の可能性を判定する第二の評価式とを用いてアセチレン（Ｃ2Ｈ2）の発生のし易さを指標化することによってアセチレンの発生可能性を高い精度で評価し得ることを突き止めた。
【００１５】
そして、放電に伴って生じるアセチレン（Ｃ2Ｈ2）の発生可能性を評価することはすなわち放電の発生可能性を評価することであるので、アセチレン（Ｃ2Ｈ2）の発生可能性はブッシングの状態の診断に対して有用な指標であると考えられた。
【００１６】
本発明のアセチレン発生可能性の評価方法は、上記知見に基づくものであり、ブッシングの絶縁油中の成分の種類及び当該成分の種類毎の量並びにアセチレンの量に関する事例データが用いられて、数式１を基本式として、絶縁油におけるアセチレンの発生全般若しくは微小発生の有無を判定する第一の評価式についての成分の種類ｉ及び当該成分の種類ｉ毎の係数ａi並びに定数項Ｃが決定されると共に絶縁油におけるアセチレンの本格発生の有無を判定する第二の評価式についての成分の種類ｉ及び当該成分の種類ｉ毎の係数ａi並びに定数項Ｃが決定され、評価対象のブッシングの絶縁油中の成分の種類ｉ毎の濃度Ｘiの値が第一の評価式に代入されてアセチレンの発生全般若しくは微小発生の可能性指標値が算定されると共に評価対象のブッシングの絶縁油中の成分の種類ｉ毎の濃度Ｘiの値が第二の評価式に代入されてアセチレンの本格発生の可能性指標値が算定され、アセチレンの発生全般若しくは微小発生の可能性指標値とアセチレンの本格発生の可能性指標値との組み合わせに基づいて評価対象のブッシングの絶縁油における発生態様別のアセチレンの発生可能性の判定が行われるようにしている。
【００１７】
また、本発明のアセチレン発生可能性の評価装置は、ブッシングの絶縁油中の成分の種類及び当該成分の種類毎の量並びにアセチレンの量に関する事例データを用いて、数式１を基本式として、絶縁油におけるアセチレンの発生全般若しくは微小発生の有無を判定する第一の評価式についての成分の種類ｉ及び当該成分の種類ｉ毎の係数ａi並びに定数項Ｃを決定すると共に絶縁油におけるアセチレンの本格発生の有無を判定する第二の評価式についての成分の種類ｉ及び当該成分の種類ｉ毎の係数ａi並びに定数項Ｃを決定する手段と、評価対象のブッシングの絶縁油中の成分の種類ｉ毎の濃度Ｘiの値を第一の評価式に代入してアセチレンの発生全般若しくは微小発生の可能性指標値を算定する手段と、評価対象のブッシングの絶縁油中の成分の種類ｉ毎の濃度Ｘiの値を第二の評価式に代入してアセチレンの本格発生の可能性指標値を算定する手段と、さらに、アセチレンの発生全般若しくは微小発生の可能性指標値とアセチレンの本格発生の可能性指標値との組み合わせに基づいて評価対象のブッシングの絶縁油における発生態様別のアセチレンの発生可能性を判定する手段とを有するようにしている。
【００１８】
また、本発明のアセチレン発生可能性の評価プログラムは、ブッシングの絶縁油中の成分の種類及び当該成分の種類毎の量並びにアセチレンの量に関する事例データを用いて、数式１を基本式として、絶縁油におけるアセチレンの発生全般若しくは微小発生の有無を判定する第一の評価式についての成分の種類ｉ及び当該成分の種類ｉ毎の係数ａi並びに定数項Ｃを決定すると共に絶縁油におけるアセチレンの本格発生の有無を判定する第二の評価式についての成分の種類ｉ及び当該成分の種類ｉ毎の係数ａi並びに定数項Ｃを決定する処理と、評価対象のブッシングの絶縁油中の成分の種類ｉ毎の濃度Ｘiの値を第一の評価式に代入してアセチレンの発生全般若しくは微小発生の可能性指標値を算定する処理と、評価対象のブッシングの絶縁油中の成分の種類ｉ毎の濃度Ｘiの値を第二の評価式に代入してアセチレンの本格発生の可能性指標値を算定する処理と、さらに、アセチレンの発生全般若しくは微小発生の可能性指標値とアセチレンの本格発生の可能性指標値との組み合わせに基づいて評価対象のブッシングの絶縁油における発生態様別のアセチレンの発生可能性を判定する処理とをコンピュータに行わせるにしている。
【００１９】
［数１］  Σi[ａi×log10(Ｘi)]＋Ｃ
ここに、  ａi：係数，
Ｘi：濃度〔ppm〕，
添字ｉ：絶縁油中の成分の種類を表す識別子，
Ｃ：定数項  をそれぞれ表す。
【００２０】
したがって、これらのアセチレン発生可能性の評価方法、評価装置、及び評価プログラムによると、アセチレン（Ｃ2Ｈ2）以外の溶解ガス等に基づいてアセチレンの発生のし易さ（言い換えると、発生の可能性）が指標化される。
【００２１】
これらのアセチレン発生可能性の評価方法、評価装置、及び評価プログラムによると、また、採油された絶縁油の成分を分析することのみにより、すなわちブッシングを解体することなく、アセチレンの発生のし易さを表す指標が推定される。
【００２２】
本発明のアセチレン発生可能性の評価方法、評価装置、及び評価プログラムは、ブッシングの絶縁油中の成分の種類に水が含められるようにしても良い。この場合には、絶縁油中の水分の量が考慮された上でアセチレンの発生のし易さ（言い換えると、発生の可能性）が指標化される。
【発明の効果】
【００２３】
本発明のアセチレン発生可能性の評価方法、評価装置、及び評価プログラムによれば、アセチレン（Ｃ2Ｈ2）以外の溶解ガス等に基づいてアセチレンの発生のし易さ（言い換えると、発生の可能性）を指標化することができるので、当該指標を介してブッシングにおける部分放電の発生可能性を客観的に評価することが可能になり、ブッシングの管理を規格化して行うことが可能になる。
【００２４】
本発明のアセチレン発生可能性の評価方法、評価装置、及び評価プログラムによれば、採油された絶縁油の成分を分析することのみにより、すなわちブッシングを解体することなく、アセチレンの発生のし易さを表す指標を推定することができるので、ブッシングの状態診断にかかる手間と費用とを低減させてブッシングの管理手法としての適用容易性の向上を図ることが可能になる。
【００２５】
また、本発明によって得られるアセチレン（Ｃ2Ｈ2）発生の可能性指標が管理指標として用いられることにより、アセチレンの発生・増加が今後において見込まれる機器の特定が的確に行われるので、効率的な点検計画の作成などに対して有用な情報を提供することができ、延いては、ブッシングの管理手法としての信頼性の向上が可能になる。
【００２６】
本発明のアセチレン発生可能性の評価方法、評価装置、及び評価プログラムは、ブッシングの絶縁油中の成分の種類に水が含められるようにした場合には、絶縁油中の水分の量を考慮した上でアセチレンの発生のし易さ（言い換えると、発生の可能性）を指標化することができるので、本発明者らの検討によれば、アセチレンの発生のし易さを表す指標を一層適切に推定することが可能になる。
【図面の簡単な説明】
【００２７】
【図１】本発明のアセチレン発生可能性の評価方法の実施形態の一例を示すフローチャートである。
【図２】実施形態のアセチレン発生可能性の評価方法をアセチレン発生可能性の評価プログラムを用いて実施する場合の当該プログラムによって実現されるアセチレン発生可能性の評価装置の機能ブロック図である。
【発明を実施するための形態】
【００２８】
以下、本発明の構成を図面に示す実施の形態の一例に基づいて詳細に説明する。
【００２９】
なお、本発明の説明において、単位であることを明確にするために単位としての記号や文字を〔  〕で括って表記する場合がある。
【００３０】
図１及び図２に、本発明のアセチレン発生可能性の評価方法、評価装置、及び評価プログラムの実施形態の一例を示す。
【００３１】
本実施形態のアセチレン発生可能性の評価方法は、ブッシングの絶縁油中の成分の種類及び当該成分の種類毎の量並びにアセチレンの量に関する事例データが用いられて、数式２を基本式として、絶縁油におけるアセチレンの発生全般の有無を判定する第一の評価式についての成分の種類ｉ及び当該成分の種類ｉ毎の係数ａi並びに定数項Ｃが決定されると共に絶縁油におけるアセチレンの本格発生の有無を判定する第二の評価式についての成分の種類ｉ及び当該成分の種類ｉ毎の係数ａi並びに定数項Ｃが決定され（Ｓ１，Ｓ２）、評価対象のブッシングの絶縁油中の成分の種類ｉ毎の濃度Ｘiの値が第一の評価式に代入されてアセチレンの発生全般の可能性指標値が算定される（Ｓ３，Ｓ４）と共に評価対象のブッシングの絶縁油中の成分の種類ｉ毎の濃度Ｘiの値が第二の評価式に代入されてアセチレンの本格発生の可能性指標値が算定され（Ｓ３，Ｓ５）、そして、アセチレンの発生全般の可能性指標値と本格発生の可能性指標値との組み合わせに基づいて評価対象のブッシングの絶縁油における発生態様別のアセチレンの発生可能性の判定が行われると共に当該判定を介してブッシングの状態の診断が行われる（Ｓ６）ようにしている（図１参照）。
【００３２】
本実施形態のアセチレン発生可能性の評価装置は、ブッシングの絶縁油中の成分の種類及び当該成分の種類毎の量並びにアセチレンの量に関する事例データを用いて、数式２を基本式として、絶縁油におけるアセチレンの発生全般の有無を判定する第一の評価式についての成分の種類ｉ及び当該成分の種類ｉ毎の係数ａi並びに定数項Ｃを決定すると共に絶縁油におけるアセチレンの本格発生の有無を判定する第二の評価式についての成分の種類ｉ及び当該成分の種類ｉ毎の係数ａi並びに定数項Ｃを決定する手段としての評価式設定部１１ａと、評価対象のブッシングの絶縁油中の成分の種類ｉ毎の濃度Ｘiの値を第一の評価式に代入してアセチレンの発生全般の可能性指標値を算定する手段としての第一指標値算定部１１ｂと、評価対象のブッシングの絶縁油中の成分の種類ｉ毎の濃度Ｘiの値を第二の評価式に代入してアセチレンの本格発生の可能性指標値を算定する手段としての第二指標値算定部１１ｃと、さらに、アセチレンの発生全般の可能性指標値と本格発生の可能性指標値との組み合わせに基づいて評価対象のブッシングの絶縁油における発生態様別のアセチレンの発生可能性を判定すると共に当該判定を介してブッシングの状態を診断する手段としての状態診断部１１ｄとを有するようにしている。
【００３３】
［数２］  Σi[ａi×log10(Ｘi)]＋Ｃ
ここに、  ａi：係数，
Ｘi：濃度〔ppm〕，
添字ｉ：絶縁油中の成分の種類を表す識別子，
Ｃ：定数項  をそれぞれ表す。
【００３４】
上記アセチレン発生可能性の評価方法及びアセチレン発生可能性の評価装置は、アセチレン発生可能性の評価プログラムがコンピュータ上で実行されることによっても実施・実現され得る。ここでは、アセチレン発生可能性の評価プログラムがコンピュータ上で実行されることによってアセチレン発生可能性の評価方法が実施されると共にアセチレン発生可能性の評価装置が実現される場合を説明する。
【００３５】
本実施形態のアセチレン発生可能性の評価プログラム１７を実行するためのコンピュータ１０（本実施形態では、アセチレン発生可能性の評価装置１０でもある）の全体構成を図２に示す。
【００３６】
このコンピュータ１０（アセチレン発生可能性の評価装置１０）は制御部１１，記憶部１２，入力部１３，表示部１４，及びメモリ１５を備え、これらが相互にバス等の信号回線によって接続されている。
【００３７】
制御部１１は、記憶部１２に記憶されているアセチレン発生可能性の評価プログラム１７に従ってコンピュータ１０全体の制御並びにアセチレンの発生可能性に係る演算を行うものであり、例えばＣＰＵ（中央演算処理装置）である。
【００３８】
記憶部１２は、少なくともデータやプログラムを記憶可能な装置であり、例えばハードディスクである。
【００３９】
入力部１３は、少なくとも作業者の命令や種々の情報を制御部１１に与えるためのインターフェイス（即ち、情報入力の仕組み）であり、例えばキーボードやマウスである。なお、例えばキーボードとマウスとの両方のように複数種類のインターフェイスを入力部１３として有するようにしても良い。
【００４０】
表示部１４は、制御部１１の制御によって文字や図形或いは画像等の描画・表示を行うものであり、例えばディスプレイである。
【００４１】
メモリ１５は、制御部１１が種々の制御や演算を実行する際の作業領域であるメモリ空間となるものであり、例えばＲＡＭ（Ｒandom Ａccess Ｍemory の略）である。
【００４２】
また、コンピュータ１０に、必要に応じ、当該コンピュータ１０との間でデータや制御指令等の信号の送受信（即ち、出入力）が可能であるように、バスや広域ネットワーク回線等の信号回線により、データサーバ１８が接続されるようにしても良い。
【００４３】
そして、コンピュータ１０（以下、「アセチレン発生可能性の評価装置１０」と呼ぶ）の制御部１１には、アセチレン発生可能性の評価プログラム１７が実行されることにより、ブッシングの絶縁油中の成分の種類及び当該成分の種類毎の量並びにアセチレンの量に関する事例データを用いて、数式２を基本式として、絶縁油におけるアセチレンの発生全般の有無を判定する第一の評価式についての成分の種類ｉ及び当該成分の種類ｉ毎の係数ａi並びに定数項Ｃを決定すると共に絶縁油におけるアセチレンの本格発生の有無を判定する第二の評価式についての成分の種類ｉ及び当該成分の種類ｉ毎の係数ａi並びに定数項Ｃを決定する処理を行う評価式設定部１１ａと、評価対象のブッシングの絶縁油中の成分の種類ｉ毎の濃度Ｘiの値を第一の評価式に代入してアセチレンの発生全般の可能性指標値を算定する処理を行う第一指標値算定部１１ｂと、評価対象のブッシングの絶縁油中の成分の種類ｉ毎の濃度Ｘiの値を第二の評価式に代入してアセチレンの本格発生の可能性指標値を算定する処理を行う第二指標値算定部１１ｃと、さらに、アセチレンの発生全般の可能性指標値と本格発生の可能性指標値との組み合わせに基づいて評価対象のブッシングの絶縁油における発生態様別のアセチレンの発生可能性を判定すると共に当該判定を介してブッシングの状態を診断する処理を行う状態診断部１１ｄとが構成される。
【００４４】
そして、アセチレン発生可能性の評価方法の実施の手順として、まず、ブッシングの絶縁油中の成分に関する事例データの準備が行われる（Ｓ１）。
【００４５】
Ｓ１の処理としての事例データの準備は、次のＳ２の処理における第一の評価式及び第二の評価式の設定に必要とされるデータを整備するために行われる。
【００４６】
具体的には、ブッシングから採油された絶縁油（試料）について、例えばガスクロマトグラフィなどの手法が用いられて油中ガス分析が行われ、当該絶縁油（試料）に含まれる成分の種類が特定されると共に当該成分の種類毎の量（体積濃度）が定量されて整理される。
【００４７】
油中ガス分析において着目される成分は、特定のものに限定されるものではなく、上述のＳ１の処理の目的に鑑み、絶縁油中におけるアセチレンの発生の予見に関連し得る（言い換えると、アセチレンの発生の程度に影響を与え得る）成分に関する事前の分析・検討結果等が踏まえられるなどして、適宜設定される。なお、本発明においては、油中ガス分析において着目される成分として、アセチレン（Ｃ2Ｈ2）が必ず含まれ、また、水（Ｈ2Ｏ）が含まれることが好ましい。
【００４８】
油中ガス分析の結果は、試料（即ち、絶縁油）別の、当該試料に含まれる成分の種類と当該成分の種類毎の量（具体的には、体積濃度）とを把握し得るデータとして整理される。
【００４９】
ブッシングの絶縁油についての油中ガス分析の結果は、例えば、試料別の成分種類と体積濃度値との組み合わせデータ（「成分別濃度データ」と呼ぶ）が記録されたデータファイルとして、記憶部１２やデータサーバ１８等に保存される。
【００５０】
Ｓ１の処理として準備される成分別濃度データの個数（即ち、試料の個数）は特定の個数に限定されるものではないものの、少なくとも、次のＳ２の処理における第一の評価式及び第二の評価式の設定（具体的には、後掲の数式３の係数ａi及び定数項Ｃの決定）を可能とする個数の成分別濃度データが準備される。
【００５１】
また、Ｓ１の処理として準備される成分別濃度データとしては、健全な状態であるブッシングに関するものや劣化の進行の程度が様々であるブッシングに関するもの、つまり様々な状態の使用中や使用実績のあるブッシングに関するものが事例データとして準備されることが好ましい。
【００５２】
なお、Ｓ１の処理として準備される成分別濃度データは、ブッシングの絶縁油についての油中ガス分析に関する既存事例が収集されて整理されるようにしても良く、或いは、ブッシングの絶縁油が新たに採油されて油中ガス分析が行われて新規事例として整理されるようにしても良い。
【００５３】
次に、第一の評価式及び第二の評価式の設定が行われる（Ｓ２）。
【００５４】
第一の評価式は、ブッシングの絶縁油におけるアセチレンの発生全般（即ち、微小発生や本格発生という発生態様を問わないあらゆる発生；言い換えると、微小発生と本格発生とのうちの少なくとも一方の発生）の可能性を判定するためのものである。また、第二の評価式は、ブッシングの絶縁油におけるアセチレンの本格発生の可能性を判定するためのものである。
【００５５】
アセチレンの微小発生とは、ブッシングにおいて放電が起きることによって生じるアセチレンの量が所定の量（「微小発生閾値」と呼ぶ）よりも少ない場合を言うものとする。
【００５６】
アセチレンの本格発生とは、ブッシングにおいて放電が起きることによって生じるアセチレンの量が所定の量（「本格発生閾値」と呼ぶ）以上の場合を言うものとする。
【００５７】
そして、本発明では、アセチレンの微小発生は、ブッシングの絶縁油においてアセチレンが発生し始める初期段階の発生態様であり、ブッシングにおいて放電が起き始める初期段階に相当するアセチレンの発生態様であると見なす。
【００５８】
また、アセチレンの本格発生は、ブッシングの絶縁油においてアセチレンが相当に発生している段階の発生態様であり、ブッシングにおいて放電が継続的（但し、間欠的であるか連続的であるかは問わない）に起きている段階に相当するアセチレンの発生態様であると見なす。
【００５９】
以上を踏まえてさらに言えば、アセチレンの微小発生はブッシングの劣化（特に、絶縁劣化）の進行の初期状態におけるアセチレンの発生態様であり、アセチレンの本格発生はブッシングの劣化（特に、絶縁劣化）が進行した状態におけるアセチレンの発生態様であると考えられる。  
【００６０】
微小発生閾値や本格発生閾値は、特定の値に限定されるものではなく、例えば事前の分析・検討結果などが踏まえられて、適宜設定される。
【００６１】
具体的には例えば、ブッシングから採油された絶縁油について油中ガス分析が行われると共にアセチレン発生事例の発生濃度別頻度が分析され、発生頻度の谷となっている濃度や、発生頻度の差違が大きくなっている（言い換えると、発生頻度を横並びで見たときに大きな段差になっている）濃度が考慮されて設定されることが考えられる。
【００６２】
なお、微小発生閾値と本格発生閾値とは、同じ値に設定されるようにしても良く、或いは、異なる値に設定されるようにしても良い。
【００６３】
また、微小発生閾値や本格発生閾値は、例えば油入ブッシングや油浸紙コンデンサブッシングといったブッシングの種別毎に設定されるようにしても良い。
【００６４】
具体的には例えば、油入ブッシングについて、あくまで一例として挙げると、微小発生閾値としてのアセチレン濃度が２０ ppm に設定されると共に、本格発生閾値としてのアセチレン濃度も２０ ppm に設定されることが考えられる。
【００６５】
また、油浸紙コンデンサブッシングについて、あくまで一例として挙げると、微小発生閾値としてのアセチレン濃度が２ ppm に設定されると共に、本格発生閾値としてのアセチレン濃度が１７０ ppm に設定されることが考えられる。
【００６６】
そして、第一の評価式及び第二の評価式の設定は、具体的には、第一・第二の評価式の基本式が絶縁油中の成分の種類ｉ毎の濃度Ｘiの常用対数の加重線形和である数式３のように規定され、当該数式３によって算定される値によってアセチレンの発生有無が判定され得るように係数ａi及び定数項Ｃが決定されることによって行われる。
【００６７】
［数３］  Σi[ａi×log10(Ｘi)]＋Ｃ
ここに、  ａi：係数，
Ｘi：濃度〔ppm〕，
添字ｉ：絶縁油中の成分の種類を表す識別子（但し、ｉは自然数），
Ｃ：定数項  をそれぞれ表す。
【００６８】
なお、第一・第二の評価式の基本式が数式３のように規定されるのは、化学的平衡（例えば、数式４）が、平衡定数（数式４の例に対して数式５で表されるＫ）一定、即ち、「log10(Ｘi)の線形和 ＝ 一定」で表されるなど、log10(Ｘi)の線形式が化学反応で重要な役割を果たすことに基づいている。
【００６９】
【数４】
0006675904.tif 000002
【数５】
0006675904.tif 000003
【００７０】
第一の評価式や第二の評価式に含められる成分の種類は、特定のものに限定されるものではなく、例えば油中ガス分析を行うことによって把握される成分の種類が考慮されたり、絶縁油中におけるアセチレンの発生の予見に関連し得る（言い換えると、アセチレンの発生の程度に影響を与え得る）成分に関する事前の分析・検討結果等が踏まえられるなどして、適宜設定される。
【００７１】
第一の評価式や第二の評価式に含められる成分として、具体的には例えば、あくまで一例として挙げると、水（Ｈ2Ｏ），酸素（Ｏ2），窒素（Ｎ2），水素（Ｈ2），メタン（ＣＨ4），エタン（Ｃ2Ｈ6），エチレン（Ｃ2Ｈ4），一酸化炭素（ＣＯ），二酸化炭素（ＣＯ2），可燃性ガス総量（例えば、Ｈ2，ＣＨ4，Ｃ2Ｈ6，Ｃ2Ｈ4，及びＣＯの合計）の中から、数式３によるアセチレンの発生有無の判定に対して有意なもの（言い換えると、判定正解率の向上に寄与するもの）が選択され得る。
【００７２】
なお、第一の評価式や第二の評価式に含められる成分の種類は、絶縁油中におけるアセチレンの発生の予見に関連し得る（言い換えると、アセチレンの発生の程度に影響を与え得る）と考えられる成分が当初段階としては候補として全て挙げられた上で、係数ａi及び定数項Ｃを決定する過程において、数式３によるアセチレンの発生有無の判定に対して有意な成分（言い換えると、判定正解率の向上に寄与する成分）が選択される（言い換えると、絞り込まれる）ようにしても良い。
【００７３】
また、ブッシングの例えば電圧階級，型式，製造会社等の属性・特性などの、アセチレンの発生の程度に影響を与え得るブッシング固有の要因が評価され得るように、前記属性・特性に係る要因に対応する補正用の項目（定数項とは別に設けられる調整項であるとも言い得る）が設定されるようにしても良い。
【００７４】
補正用の項目は、具体的には例えば、診断対象のブッシングが前記属性・特性に係る要因に、該当しない場合には０に設定され、該当する場合にはlog10(Ｘi)から「当該要因に該当する場合のlog10(Ｘi)の平均値」を引いた値に設定される。なお、平均分が引かれることにより、補正用の項目の全データでの平均が０(ゼロ)になる。
【００７５】
また、第一の評価式及び第二の評価式は、あらゆるブッシングに共通のものとして設定されるようにしても良く、或いは、油入ブッシングや油浸紙コンデンサブッシングといったブッシングの種類やブッシングの型式などの適当な区分（言い換えると、カテゴリー）別に設定されるようにしても良い。
【００７６】
そして、数式３によって算定される値によってアセチレンの発生有無が判定され得るように係数ａi及び定数項Ｃが決定される。
【００７７】
本実施形態では、アセチレン発生有りの事例の場合には数式６−１を、また、アセチレン発生無しの事例の場合には数式６−２を、それぞれ極力満たすように、係数ａi及び定数項Ｃが決定される。
【００７８】
［数６−１］  Σi[ａi×log10(Ｘi)]＋Ｃ ≧ １
［数６−２］  Σi[ａi×log10(Ｘi)]＋Ｃ ≦ −１
【００７９】
そして、数式６−１，６−２を満たすように決定された係数ａi及び定数項Ｃが当てはめられた数式３によって算定される値が、負であれば絶縁油中にアセチレンは存在していないと判定され、０(ゼロ)若しくは正であれば絶縁油中にアセチレンが存在していると判定される。
【００８０】
第一の評価式や第二の評価式の係数ａi及び定数項Ｃを決定する手法は、特定のものに限定されるものではなく、数式３のように示される基本式の式形における係数ａi及び定数項Ｃを決定（言い換えると，算定）し得る適当な手法、具体的には線形評価式若しくは線形評価式の関数を用いる方式の中から適当な手法が適宜選択される。
【００８１】
係数ａi及び定数項Ｃを決定する手法は、また、第一の評価式や第二の評価式に含められる成分の種類の候補として挙げられたものの中から、数式３によるアセチレンの発生有無の判定に対して有意な成分（言い換えると、判定正解率の向上に寄与する成分）を取捨選択する働き（即ち、変数選択機能）を備える手法であることが好ましい。
【００８２】
係数ａi及び定数項Ｃを決定する手法としては、具体的には例えば、あくまで一例として挙げると、サポートベクトルマシンに変数選択機能を付加して汎化能力を向上させた線形カーネルマシン（篠原靖志 他「油入ケーブル接続部の線形サポートカーネルマシンによる異常判定」，電気学会論文誌Ｃ，Ｖol.１３４  Ｎo.８，２０１４年）や、ロジスティック回帰などが用いられ得る。
【００８３】
本実施形態では、制御部１１の評価式設定部１１ａにより、記憶部１２やデータサーバ１８等に保存されている（使用中や使用実績のある）ブッシングの絶縁油に関する成分別濃度データが読み込まれ、当該成分別濃度データが用いられて、第一の評価式としての成分の種類及び当該成分の種類毎の係数ａi並びに定数項Ｃが決定される。
【００８４】
さらに、評価式設定部１１ａにより、記憶部１２やデータサーバ１８等に保存されている（使用中や使用実績のある）ブッシングの絶縁油に関する成分別濃度データの中からアセチレンの量が微小発生閾値よりも少なくなっている成分別濃度データが読み込まれ、当該成分別濃度データが用いられて、第二の評価式としての成分の種類及び当該成分の種類毎の係数ａi並びに定数項Ｃが決定される。
【００８５】
そして、評価式設定部１１ａにより、数式３を基本式とする第一の評価式と第二の評価式とのそれぞれに含められる変数としての成分の種類及び当該成分の種類毎の係数ａi並びに定数項Ｃの値がメモリ１５に記憶させられる。
【００８６】
上述の処理によって設定される第一の評価式に絶縁油中の成分の種類ｉ毎の濃度Ｘiの値が代入されて算定された値が、負の場合には、絶縁油においてアセチレンは発生していない（即ち、微小発生も本格発生も起きていない）と判定され、他方、正の場合には、絶縁油においてアセチレンが発生している（即ち、微小発生と本格発生とのうちの少なくとも一方が発生している）と判定される。なお、第一の評価式によって算定される値のことを「アセチレンの発生全般の可能性指標値」と呼ぶ。
【００８７】
また、上述の処理によって設定される第二の評価式に絶縁油中の成分の種類ｉ毎の濃度Ｘiの値が代入されて算定された値が、負の場合には、絶縁油においてアセチレンの本格発生は起きていないと判定され、他方、正の場合には、絶縁油においてアセチレンの本格発生が起きていると判定される。なお、第二の評価式によって算定される値のことを「アセチレンの本格発生の可能性指標値」と呼ぶ。
【００８８】
ここで、Ｓ２の処理としての第一の評価式及び第二の評価式の設定は、必ずしも繰り返し行われる必要はなく、一連の診断工程において一度のみ行われるようにしても良い。そして、一度設定された評価式が用いられて、複数のブッシングに対して、しかも複数の時点において、状態診断が行われるようにしても良い。ただし、成分別濃度データが新たに収集された場合などには、必要に応じ、第一の評価式及び第二の評価式の設定が繰り返し行われる（言い換えると、第一の評価式及び第二の評価式が更新される）ようにしても良い。また、微小発生閾値や本格発生閾値が更新されるようにしても良い。
【００８９】
次に、診断対象のブッシングの絶縁油について油中ガス分析が行われる（Ｓ３）。
【００９０】
具体的には、診断対象のブッシングから絶縁油の一部が採油され、Ｓ１の処理と同様に例えばガスクロマトグラフィなどの手法が用いられて油中ガス分析が行われ、前記採油された絶縁油に含まれている成分の種類が特定されると共に当該成分の種類毎の量が定量される。
【００９１】
油中ガス分析の結果としては、Ｓ２の処理において設定された第一の評価式及び第二の評価式に含められている変数としての成分の種類のそれぞれに関する体積濃度が整理される。
【００９２】
診断対象のブッシングの絶縁油についての油中ガス分析の結果は、例えば、成分種類と体積濃度値との組み合わせデータ（「診断対象成分別濃度データ」と呼ぶ）が記録されたデータファイルとして、記憶部１２やデータサーバ１８等に保存される。
【００９３】
次に、診断対象のブッシングにおけるアセチレンの発生全般の可能性指標値の算定が行われる（Ｓ４）。
【００９４】
具体的には、本実施形態では、制御部１１の第一指標値算定部１１ｂにより、Ｓ２の処理においてメモリ１５に記憶された第一の評価式に含められる変数としての成分の種類及び当該成分の種類毎の係数ａi並びに定数項Ｃの値が読み込まれ、これら成分の種類，係数ａi，及び定数項Ｃが数式３に当てはめられて第一の評価式が特定される。
【００９５】
さらに、第一指標値算定部１１ｂにより、Ｓ３の処理において記憶部１２やデータサーバ１８等に保存された診断対象成分別濃度データが読み込まれ、当該診断対象成分別濃度データの値が上記処理によって特定された第一の評価式のＸiに代入されてアセチレンの発生全般の可能性指標値の算定が行われる。
【００９６】
なお、Ｓ２の処理において設定された第一の評価式は、係数ａiが当てはめられたａi×log10(Ｘi)が列挙されると共に定数項Ｃが加算された形でアセチレン発生可能性の評価プログラム１７内に予め規定されるようにしても良い。
【００９７】
そして、第一指標値算定部１１ｂにより、アセチレンの発生全般の可能性指標値がメモリ１５に記憶させられる。
【００９８】
次に、診断対象のブッシングにおけるアセチレンの本格発生の可能性指標値の算定が行われる（Ｓ５）。
【００９９】
具体的には、本実施形態では、制御部１１の第二指標値算定部１１ｃにより、Ｓ２の処理においてメモリ１５に記憶された第二の評価式に含められる変数としての成分の種類及び当該成分の種類毎の係数ａi並びに定数項Ｃの値が読み込まれ、これら成分の種類，係数ａi，及び定数項Ｃが数式３に当てはめられて第二の評価式が特定される。
【０１００】
さらに、第二指標値算定部１１ｃにより、Ｓ３の処理において記憶部１２やデータサーバ１８等に保存された診断対象成分別濃度データが読み込まれ、当該診断対象成分別濃度データの値が上記処理によって特定された第二の評価式のＸiに代入されてアセチレンの本格発生の可能性指標値の算定が行われる。
【０１０１】
なお、Ｓ２の処理において設定された第二の評価式は、係数ａiが当てはめられたａi×log10(Ｘi)が列挙されると共に定数項Ｃが加算された形でアセチレン発生可能性の評価プログラム１７内に予め規定されるようにしても良い。
【０１０２】
そして、第二指標値算定部１１ｃにより、アセチレンの本格発生の可能性指標値がメモリ１５に記憶させられる。
【０１０３】
次に、診断対象のブッシングにおける発生態様別のアセチレンの発生可能性の判定、及び、診断対象のブッシングの状態の診断が行われる（Ｓ６）。
【０１０４】
具体的には、上述のＳ５までの処理で算定されたアセチレンの発生全般の可能性指標値と本格発生の可能性指標値とが用いられて、診断対象のブッシングにおけるアセチレンの発生可能性を介して、当該ブッシングにおける放電の発生可能性及び増加可能性に着目した状態診断が行われる。
【０１０５】
すなわち、本発明では、ブッシングにおいて放電が発生した場合にはその結果としてアセチレンが発生するので、アセチレンの発生全般（即ち、微小発生と本格発生とのうちの少なくとも一方の発生）の可能性や本格発生の可能性は即ちブッシングにおける放電の発生可能性や増加可能性であると捉える。そして、ブッシングにおいて放電が発生したり増加したりすることは劣化（特に、絶縁劣化）が進行することであるので、ブッシングにおける放電の発生可能性・増加可能性に基づいてブッシングの状態の診断が可能である。
【０１０６】
そこで、制御部１１の状態診断部１１ｄにより、Ｓ４の処理においてメモリ１５に記憶されたアセチレンの発生全般の可能性指標値が読み込まれると共に、Ｓ５の処理においてメモリ１５に記憶されたアセチレンの本格発生の可能性指標値が読み込まれ、これら可能性指標値が用いられて診断対象のブッシングにおけるアセチレンの発生可能性や発生の程度の評価を介しての部分放電の発生可能性や増加の可能性、延いては診断対象のブッシングの健全性（特に、絶縁劣化の進行の程度）の判定が行われる。
【０１０７】
具体的には例えば、あくまで一例として挙げると、以下のような規範を含む判定（言い換えると、状態診断）が行われることが考えられる。
Ｉ）  アセチレンの発生全般の可能性指標値と本格発生の可能性指標値とがどちらも０(ゼロ)以上である場合には、現状においてアセチレンが発生しているので、部分放電が発生している要注意の状態である。
II）  アセチレンの発生全般の可能性指標値が０(ゼロ)以上であって且つ本格発生の可能性指標値が負である場合には、現状においてアセチレンが僅かに発生している状態若しくはアセチレンの発生が今後見込まれる状態であるので、部分放電の発生の監視の強化が必要な状態である。
III） アセチレンの発生全般の可能性指標値と本格発生の可能性指標値とがどちらも負であって絶対値が小さい場合には、アセチレンの増加が今後見込まれる状態であるので、部分放電が今後増加する可能性が高い状態である。
IV）  アセチレンの発生全般の可能性指標値と本格発生の可能性指標値とがどちらも負であって絶対値が大きい場合には、アセチレンが発生する徴候が見られないので、現状においては健全性が保たれており且つ部分放電が近近において発生する可能性は低い状態である。
【０１０８】
上記における「絶対値が小さい場合」や「絶対値が大きい場合」に対応するアセチレンの発生全般の可能性指標値や本格発生の可能性指標値は、特定の値に限定されるものではなく、例えば事前や運用中の分析・検討結果などが踏まえられて、適宜設定されたり更新されたりする。
【０１０９】
一例として挙げた上述のように、アセチレンの発生全般の可能性指標値と本格発生の可能性指標値との組み合わせ、特に、発生全般の可能性指標値と本格発生の可能性指標値とがそれぞれ負，０，及び正のうちの何れであるかに加えて負や正である場合の絶対値の大きさに関する組み合わせに基づいて、ブッシングの絶縁油におけるアセチレンの発生の有無及び発生態様別のアセチレンの発生可能性が判定され得る。
【０１１０】
そして、上記の判定結果に基づいて、ブッシングの運用管理として、一例として例えば以下のような対応がとられることが考えられる。
Ｉ）  上記において要注意の状態であると判定された場合には、当該のブッシングについて分解点検の実施や補修・交換の対象にすることが検討される。
II）  上記において部分放電の発生の監視の強化が必要な状態であると判定された場合には、当該のブッシングについて分解点検の実施や重点的な点検の対象にすることが検討される。
III） 上記において部分放電が今後増加する可能性が高い状態であると判定された場合や部分放電が近近において発生する可能性は低い状態であると判定された場合には、当該のブッシングについての判定内容に対応させた適切な点検周期が設定される。
【０１１１】
一例として挙げた上述のように、アセチレンの発生全般の可能性指標値と本格発生の可能性指標値との組み合わせ、特に、発生全般の可能性指標値と本格発生の可能性指標値とがそれぞれ負，０，及び正のうちの何れであるかに加えて負や正である場合の絶対値の大きさに関する組み合わせは、ブッシングの状態の診断に対して有用な指標になり得ると共に、ブッシングの補修・交換の決定や点検周期の設定などの運用管理に対して有用な情報になり得る。
【０１１２】
そして、制御部１１は、アセチレンの発生全般の可能性指標値及び本格発生の可能性指標値並びにこれらに基づくブッシングの状態診断の結果を表示部１４に表示したり、データファイルとして記憶部１２に保存したりした上で、当該のブッシングに関する状態診断に関する処理を終了する。
【０１１３】
以上のように構成されたアセチレン発生可能性の評価方法、評価装置、及び評価プログラムによれば、アセチレン（Ｃ2Ｈ2）以外の溶解ガス等に基づいてアセチレンの発生のし易さ（言い換えると、発生の可能性）を指標化することができるので、当該指標を介してブッシングにおける部分放電の発生可能性を客観的に評価することが可能になり、ブッシングの管理を規格化して行うことが可能になる。特に、ブッシングの絶縁油中の成分の種類に水（Ｈ2Ｏ）が含められるようにした場合には、本発明者らの検討によれば、アセチレンの発生のし易さを表す指標を一層適切に推定することが可能になる。
【０１１４】
以上のように構成されたアセチレン発生可能性の評価方法、評価装置、及び評価プログラムによれば、また、採油された絶縁油の成分を分析することのみにより、すなわちブッシングを解体することなく、アセチレンの発生のし易さを表す指標を推定することができるので、ブッシングの状態診断にかかる手間と費用とを低減させてブッシングの管理手法としての適用容易性の向上を図ることが可能になる。
【０１１５】
なお、上述の実施形態は本発明を実施する際の好適な形態の一例ではあるものの本発明の実施の形態が上述のものに限定されるものではなく、本発明の要旨を逸脱しない範囲において本発明は種々変形実施可能である。
【０１１６】
例えば、上述の実施形態ではＳ２の処理において（使用中や使用実績のある）ブッシングの絶縁油に関する成分別濃度データが用いられて式に含める成分の種類及び係数ａi並びに定数項Ｃが決定されることによって第一の評価式及び第二の評価式の設定が行われるようにしているが、これに限られず、下掲の表１や表２に示される内容で規定される式が第一の評価式及び第二の評価式として用いられるようにしても良い。
【０１１７】
具体的には、油入ブッシングに関する第一の評価式及び第二の評価式として、数式３に、表１に示される成分種類が組み込まれると共に同表に示される係数ａi及び定数項Ｃが当てはめられた式が用いられるようにしても良い。
【０１１８】
【表１】
0006675904.tif 000004
【０１１９】
また、油浸紙コンデンサブッシングに関する第一の評価式及び第二の評価式として、数式３に、表２に示される成分種類が組み込まれると共に同表に示される係数ａi及び定数項Ｃが当てはめられた式が用いられるようにしても良い。なお、表２の第二の評価式に関する欄のうちの空欄は、当該空欄の成分種類は第二の評価式では設定されないことを表す（なお、プログラムの処理としては、空欄の成分種類に対応する係数ａiを０(ゼロ)とするようにしても良い）。
【０１２０】
【表２】
0006675904.tif 000005
【０１２１】
表１や表２に示される内容で規定される式が用いられる場合には、第一の評価式及び第二の評価式の内容（具体的には、係数ａiが当てはめられたａi×log10(Ｘi)が列挙されると共に定数項Ｃが加算された形）がアセチレン発生可能性の評価プログラム１７内に予め規定されるようにしても良い。また、表１や表２に示される内容で規定される式が用いられる場合には、上述の実施形態におけるＳ１の処理及びＳ２の処理は行われない。
【０１２２】
また、上述の実施形態ではアセチレンの発生全般と本格発生との組み合わせに着目して発生態様別のアセチレンの発生可能性の判定が行われるようにしているが、アセチレンの発生態様の組み合わせは上述の実施形態におけるものに限定されるものではなく、アセチレンの微小発生と本格発生との組み合わせに着目するようにしても良い。この場合には、Ｓ２の処理において、ブッシングの絶縁油におけるアセチレンの微小発生の可能性を判定するためのものとして第一の評価式が設定される。また、Ｓ４の処理において、第一の評価式が用いられてアセチレンの微小発生の可能性指標値が算定される。さらに、Ｓ６の処理において、アセチレンの微小発生の可能性指標値と本格発生の可能性指標値とが用いられて、診断対象のブッシングにおけるアセチレンの発生可能性を介して、当該ブッシングにおける放電の発生可能性及び増加可能性に着目した状態診断が行われる。
【０１２３】
そして、アセチレンの微小発生と本格発生との組み合わせに着目する場合には、具体的には例えば、あくまで一例として挙げると、以下のような規範を含む判定（言い換えると、状態診断）が行われることが考えられる。
Ｉ）  アセチレンの微小発生の可能性指標値と本格発生の可能性指標値とがどちらも０(ゼロ)以上である場合には、現状においてアセチレンが発生しているので、部分放電が発生している要注意の状態である。
II）  アセチレンの微小発生の可能性指標値が０(ゼロ)以上であって且つ本格発生の可能性指標値が負である場合には、現状においてアセチレンが僅かに発生している状態若しくはアセチレンの発生が今後見込まれる状態であるので、部分放電の発生の監視の強化が必要な状態である。
III） アセチレンの微小発生の可能性指標値と本格発生の可能性指標値とがどちらも負であって絶対値が小さい場合には、アセチレンの増加が今後見込まれる状態であるので、部分放電が今後増加する可能性が高い状態である。
IV）  アセチレンの微小発生の可能性指標値と本格発生の可能性指標値とがどちらも負であって絶対値が大きい場合には、アセチレンが発生する徴候が見られないので、現状においては健全性が保たれており且つ部分放電が近近において発生する可能性は低い状態である。
【０１２４】
また、上述の実施形態ではＳ６の処理として診断対象のブッシングの状態の診断が行われるようにしているが、本発明としてはブッシングの状態診断は必須の構成ではない。すなわち、上述の実施形態におけるＳ４の処理及びＳ５の処理としてのアセチレンの発生に関する可能性指標値の算定並びにＳ６の処理としての発生態様別のアセチレンの発生可能性の判定が本発明の第一の要点であり、算定された可能性指標値や判定された発生可能性を用いてのＳ６の処理としてのブッシングの状態診断は本発明の第二の要点ではあるものの必須の構成ではない。付け加えると、アセチレンの発生に関する可能性指標値は、上述の実施形態におけるような具体的な使われ方に限られるものではなく、様々な方法で利用され得る。
【産業上の利用可能性】
【０１２５】
本発明のアセチレン発生可能性の評価方法、評価装置、及び評価プログラムは、例えば変圧器に備えられるブッシングにおける部分放電に伴って生じるアセチレンの発生可能性の推定を精度良く行うことができるので、あくまで一例として挙げると、変圧器によって行われる変圧を伴う送電・配電などの分野で利用価値が高い。
【符号の説明】
【０１２６】
１０  アセチレン発生可能性の評価装置
１７  アセチレン発生可能性の評価プログラム
【図１】
0006675904.tif 000006
【図２】
0006675904.tif 000007